(57)【要約】【課題】本発明の目的は、従来技術に対して、コンタクトレンズの形状への悪影響が低減され、真菌や細菌類への消毒効果を満足し、かつ、眼組織への安全性が改善されている、コンタクトレンズ用溶剤として適用可能な消毒用組成物を提供することにある。【解決手段】上記目的は、有効量のビグアニド系消毒剤や第四級アンモニウム系消毒剤等の有機窒素系消毒剤及びリン酸化オリゴ糖カルシウム、リン酸化オリゴ糖ナトリウム、リン酸化オリゴ糖マグネシウムやリン酸化オリゴ糖カリウム等のリン酸化オリゴ糖化合物を含む消毒用組成物により解決される。【選択図】なし【特許請求の範囲】
【請求項１】
有効量の有機窒素系消毒剤及びリン酸化オリゴ糖化合物を含み、かつ、口腔領域以外の領域で使用される消毒用組成物。
【請求項２】
前記有機窒素系消毒剤がビグアニド系消毒剤又は第四級アンモニウム系消毒剤である、請求項１に記載の消毒用組成物。
【請求項３】
前記有機窒素系消毒剤がポリヘキサメチレンビグアニド、塩化ベンザルコニウム又は塩化ベンゼトニウムである、請求項１に記載の消毒用組成物。
【請求項４】
前記有機窒素系消毒剤の濃度は０．０００１〜１．０Ｗ／Ｖ％であり、かつ、前記リン酸化オリゴ糖化合物の濃度は０．０００１〜１．０Ｗ／Ｖ％である、請求項１〜３のいずれか１項に記載の消毒用組成物。
【請求項５】
前記リン酸化オリゴ糖化合物がリン酸化オリゴ糖カルシウム、リン酸化オリゴ糖ナトリウム、リン酸化オリゴ糖マグネシウム又はリン酸化オリゴ糖カリウムである、請求項１〜４のいずれか１項に記載の消毒用組成物。
【請求項６】
請求項１〜５のいずれか１項に記載の消毒用組成物を含む、コンタクトレンズ用溶剤。
【発明の詳細な説明】
【技術分野】
【０００１】
本発明は消毒用組成物及び消毒用組成物を含むコンタクトレンズ用溶剤に関する。
【背景技術】
【０００２】
コンタクトレンズを眼に装用した際、涙液や眼脂に由来するタンパク質や脂質の汚れがコンタクトレンズ表面に付着する。これらの汚れにより、細菌が繁殖して眼疾病につながる危険性があり、かつ、コンタクトレンズの装用感の低下や視力補正への影響等の問題が生じる場合がある。
【０００３】
コンタクトレンズは、一般に、ハードコンタクトレンズ及びソフトコンタクトレンズに大別される。このうちソフトコンタクトレンズはコンタクトレンズ中の水分に微生物が繁殖しやすい傾向にあることから、ケアが不十分なソフトコンタクトレンズは眼組織に対して重篤な問題を及ぼす可能性がある。
【０００４】
したがって、ソフトコンタクトレンズを安全かつ衛生的に使用するためには、コンタクトレンズを十分にケア、例えば、洗浄、消毒、清潔な維持等を実施することが望ましい。
【０００５】
このようなコンタクトレンズをケアする工程は、通常、コンタクトレンズ表面に付着した汚れ等を除去する「洗浄」；微生物を無害化する「消毒」；洗浄及び消毒後の「すすぎ」；及びコンタクトレンズ性能を維持するための「保存」を含む。衛生上は、洗浄と、その後の消毒・すすぎ・保存とを区別し、各々専用溶液を用いて処理することが望まれている。しかし、近年は一液で全ての工程が行えるマルチパーパスソリューションがその簡便性から広く普及している。
【０００６】
マルチパーパスソリューションによる処理はコールド消毒法と言われる。コールド消毒法は、液中に配合した消毒成分によりソフトコンタクトレンズを洗浄及び消毒する処理方法である。この際の消毒成分として、有機窒素系消毒剤が広く使用されている。
【０００７】
マルチパーパスソリューションにおいて、消毒効果を高めるために、高濃度の消毒成分を配合することが試みられている。しかし、高濃度の消毒成分は、眼組織に対して毒性があるので、安全性に問題がある。そこで、消毒成分の配合量（濃度）は制限され、一般的には１．０×１０−４（Ｗ／Ｖ％）以下である。しかし、このような濃度では、ソフトコンタクトレンズに対する消毒効果が十分とはいえない。
【０００８】
そこで、ソフトコンタクトレンズへの消毒効果を増強させるために、有機窒素系消毒剤の一種であるポリヘキサメチレンビクアニドと高濃度の非イオン性等張化剤とを含む消毒用組成物（特許文献１参照）やポリヘキサメチレンビクアニドとグリシンとを含む消毒用組成物（特許文献２参照）が開示されている。
【先行技術文献】
【特許文献】
【０００９】
【特許文献１】特許３６９８８３２号公報
【特許文献２】特開２０１１−０６４７２３号公報
【発明の概要】
【発明が解決しようとする課題】
【００１０】
特許文献１の消毒用組成物は、非イオン性等張化剤としてグリセリンやプロピレングリコール等の多価アルコールを高濃度で配合するものである。多価アルコールを高濃度で配合した液体組成物を用いてソフトコンタクトレンズを処理する場合、コンタクトレンズが膨潤、変形する等して、処理したコンタクトレンズの光学特性に多大な悪影響を及ぼす可能性がある。
【００１１】
特許文献２の消毒用組成物は、特許文献２の実施例に示されているとおり、細胞毒性試験における細胞生存率は５０％以下であるものであることから、眼組織への安全性が不十分なものである。
【００１２】
したがって、特許文献１及び２に記載の消毒用組成物は、コンタクトレンズ用溶剤に適用する場合、コンタクトレンズ形状への悪影響、消毒効果及び／又は眼組織への安全性について問題がある。
【００１３】
そこで、本発明の目的は、上記課題を鑑みて、従来技術に対して、コンタクトレンズの形状への悪影響が低減され、細菌や真菌への消毒効果を満足し、かつ、眼組織への安全性が改善されている、コンタクトレンズ用溶剤として適用可能な消毒用組成物を提供することにある。
【課題を解決するための手段】
【００１４】
本発明者らは、眼組織への安全性を考慮して、消毒成分である有機窒素系消毒剤の配合量を増加させることなく、コンタクトンレンズに対して消毒効果のあるものについて研究開発を進めた。そして、有機窒素系消毒剤と他の化合物との組み合わせによる消毒効果の向上について鋭意検討するなかで、リン酸化オリゴ糖化合物に着眼するに至った。
【００１５】
リン酸化オリゴ糖化合物の一種であるリン酸化オリゴ糖カルシウムは、歯の脱灰抑制効果や初期う蝕の再石灰化効果を有すること、及び化粧品や食品原料として用いられる等の高い安全性を有する化合物であることが知られている。
【００１６】
しかし、同時に、高い安全性を有するということが示すとおり、リン酸化オリゴ糖化合物には消毒効果が存在しないことも一般的に知られている。
【００１７】
ところが驚くべきことに、本発明者らは、有機窒素系消毒剤とリン酸化オリゴ糖化合物とを配合することによって、有機窒素系消毒剤の配合量をコンタクトレンズ用溶剤として適用範囲内に設定したとしても、眼組織への安全性を維持したまま、細菌や真菌等の微生物に対する消毒効果を著しく向上することができるという全く新しい知見を得た。本発明は、このような知見に基づき完成された発明である。
【００１８】
したがって、本発明によれば、有効量の有機窒素系消毒剤及びリン酸化オリゴ糖化合物を含む消毒用組成物が提供される。
【００１９】
好ましくは、前記有機窒素系消毒剤がビグアニド系消毒剤又は第四級アンモニウム系消毒剤である。
【００２０】
好ましくは、前記有機窒素系消毒剤がポリヘキサメチレンビグアニド、塩化ベンザルコニウム又は塩化ベンゼトニウムである。
【００２１】
好ましくは、前記有機窒素系消毒剤の濃度は０．０００１〜１．０Ｗ／Ｖ％であり、かつ、前記リン酸化オリゴ糖化合物の濃度は０．０００１〜１．０Ｗ／Ｖ％である。
【００２２】
好ましくは、前記リン酸化オリゴ糖化合物がリン酸化オリゴ糖カルシウム、リン酸化オリゴ糖ナトリウム、リン酸化オリゴ糖マグネシウム又はリン酸化オリゴ糖カリウムである。
【００２３】
本発明の別の側面によれば、本発明の消毒用組成物を含む、コンタクトレンズ用溶剤が提供される。
【発明の効果】
【００２４】
本発明の消毒用組成物は、マルチパーパスソリューションへの適用範囲内の配合量である有機窒素系消毒剤とリン酸化オリゴ糖化合物とを組み合わせて配合することにより、コンタクトレンズ用溶剤として適した消毒効果を有しつつ、眼組織に対して高い安全性を有するものである。
【００２５】
本発明の消毒用組成物を含む本発明のコンタクトレンズ用溶剤によってケアしたコンタクトンレンズは、その表面を清潔に保つことができるものである。さらに本発明のコンタクトレンズ用溶剤は、コンタクトレンズに付着した微生物に起因する眼障害の危険性、眼脂や涙液由来の汚れに起因するコンタクトレンズの装用感の低下、コンタクトレンズに該汚れが蓄積することによる眼障害や視力補正に係る障害を回避することができる。
【発明を実施するための形態】
【００２６】
以下、本発明の詳細について説明する。
本発明の消毒用組成物は、有効量の有機窒素系消毒剤及びリン酸化オリゴ糖化合物を含む。本発明の消毒用組成物の消毒作用について、その原理は特に限定されないが、例えば、消毒成分である有機窒素系消毒剤の消毒効果がリン酸化オリゴ糖化合物により増強されると推測できる。
【００２７】
有機窒素系消毒剤としては、窒素原子を含有する有機化合物であり、かつ、細菌や真菌等の微生物に対して消毒性を示すものであれば特に限定されないが、例えば、ポリヘキサメチレンビグアニド、ポリアミノプロピルビグアニド等のビグアニド系消毒剤；塩化ベンザルコニウム、塩化ベンゼトニウム、塩化セチルピリジニウム等の第四級アンモニウム系消毒剤が挙げられる。本発明において、ビグアニド系消毒剤としてはポリヘキサメチレンビグアニドが好ましく、第４級アンモニウム塩系化合物としては塩化ベンザルコニウム及び塩化ベンゼトニウムが好ましい。有機窒素系消毒剤は、１種の消毒剤であってもよく、又は２種以上の消毒剤の組み合わせであってもよい。
【００２８】
本発明において使用する、リン酸化オリゴ糖化合物は、オリゴ糖の側鎖にリン酸基又はリン酸塩基を有する構造の化合物であれば特に限定されないが、例えば、リン酸化オリゴ糖カルシウム、リン酸化オリゴ糖カリウム、リン酸化オリゴ糖ナトリウム、リン酸化オリゴ糖マグネシウム等のリン酸化オリゴ糖金属が挙げられ、これらのいずれか１種単独であってもよく、又は２種以上の組み合わせであってもよい。本発明におけるリン酸化オリゴ糖化合物としては、リン酸化オリゴ糖カルシウムが好ましい。
【００２９】
リン酸化オリゴ糖化合物としてリン酸化オリゴ糖カルシウムを選択した際に、本発明の消毒用組成物は眼組織に対して好ましい効果を奏することが非限定的に期待される。例えば、本発明の消毒用組成物を用いて消毒等したコンタクトレンズを装用することにより、組成物中のカルシウムが涙液中へ溶解して眼組織へ付与される可能性がある。通常、カルシウムは筋収縮に影響を及ぼすことから、本発明の消毒用組成物を用いて消毒等したコンタクトレンズを装用することで、水晶体や眼球の動きに関わる毛様体筋や外眼筋等の眼筋組織の収縮作用が向上する可能性がある。
【００３０】
リン酸化オリゴ糖化合物の入手方法は特に限定されず、市販されているものを購入してもよく、リン酸化オリゴ糖化合物の製造方法を開示する文献、例えば、オリゴ糖の製造方法を開示する特開２００７−３１４５８５号公報；長鎖型リン酸化オリゴ糖の製造方法を開示する特開２００６−２４９３１６号公報；短鎖型リン酸化オリゴ糖の製造方法を開示する特開平１０−０８４９８５号公報；リン酸化オリゴ糖金属の製造方法を開示する特開２００２−１４５８９３号公報等の記載を参照して、当業者により知られる方法を適用して製造してもよい。
【００３１】
本発明の消毒用組成物は、有効量の有機窒素系消毒剤及びリン酸化オリゴ糖化合物を含めば、これらの配合比は特に限定されない。本発明における「有効量」とは、本発明の目的を達成し得る有機窒素系消毒剤及びリン酸化オリゴ糖化合物の量（濃度）をいう。すなわち、本発明の消毒用組成物における有機窒素系消毒剤及びリン酸化オリゴ糖化合物の濃度は、コンタクトレンズの形状安定性、眼組織への安全性並びに細菌及び真菌への消毒効果が見られる濃度であれば、特に限定されない。
【００３２】
有機窒素系消毒剤の配合量（濃度）は、通常のコンタクトレンズ用溶剤で使用される範囲内であれば特に限定されないが、例えば、消毒性を考慮した場合、ポリヘキサメチレンビグアニド等のビグアニド系消毒剤では０．００００５Ｗ／Ｖ％以上が好ましく、０．００００９Ｗ／Ｖ％以上がより好ましい。また、眼刺激等の安全性を考慮した場合、０．０００２Ｗ／Ｖ％以下が好ましく、０．０００１５Ｗ／Ｖ％以下がより好ましい。
【００３３】
有機窒素系消毒剤が塩化ベンザルコニウムや塩化ベンゼトニウム等の第四級アンモニウム系消毒剤である場合、その濃度は、例えば、消毒性を考慮すれば、０．０００５Ｗ／Ｖ％以上が好ましく、０．００１Ｗ／Ｖ％以上がより好ましい。また、眼刺激等の安全性を考慮した場合、０．０５Ｗ／Ｖ％以下が好ましく、０．０１５Ｗ／Ｖ％以下がより好ましい。
【００３４】
リン酸化オリゴ糖化合物は、本来、眼組織等の人体への影響が小さいものであることから、本発明におけるリン酸化オリゴ糖化合物の配合量（濃度）の上限は特に限定されない。本発明のリン酸化オリゴ糖化合物の配合量は、共に配合される有機窒素系消毒剤の配合量を勘案して、本発明の目的を解決することができる量であればよい。例えば、有機窒素系消毒剤の濃度が０．０００１〜１．０Ｗ／Ｖ％である場合、リン酸化オリゴ糖化合物の濃度は０．０００１〜１．０Ｗ／Ｖ％が好ましく、０．００１〜０．１Ｗ／Ｖ％がより好ましく、０．００５〜０．０５Ｗ／Ｖ％がさらに好ましい。本発明の消毒用組成物は、従前のコンタクトレンズ用洗浄剤と同程度の消毒成分配合量でありながら、細菌や真菌を含む微生物に対して増強された消毒効果を奏することに特徴がある。
【００３５】
ただし、リン酸化オリゴ糖化合物の配合量があまりにも小さい、例えば、０．０００１Ｗ／Ｖ％未満では、本発明の消毒用組成物は増強された消毒効果を奏し得ない可能性がある。また、リン酸化オリゴ糖化合物の配合量が１．０Ｗ／Ｖ％を超える場合、リン酸化オリゴ糖化合物を栄養源として微生物が増殖する可能性があることから、消毒成分の消毒効果が抑制されて望ましくない。
【００３６】
本発明の消毒用組成物の形態は特に限定されず、固体状、液体状、ゲル等の半固体状のいずれであってもよく、本発明の消毒用組成物を適用する対象物の形状等に応じて適宜決めればよい。また、本発明の消毒用組成物の使用方法は特に限定されず、本発明の消毒用組成物を対象物にそのまま接触させてもよく、本発明の消毒用組成物を適当な溶媒に溶かして液体状にしてから対象物に接触させてもよい。本発明の消毒用組成物の対象物は、細菌や真菌等の微生物が増殖し得るものであれば特に限定されず、物品であってもよく、人体の一部であってもよい。本発明の消毒用組成物を液体として、コンタクトレンズに接触させれば、コンタクトレンズの形状を変形させず、かつ、眼組織に対して障害を与えずに、コンタクトレンズを消毒することができる。このような本発明の消毒用組成物を含むコンタクトレンズ用溶剤は、本発明の一態様である。
【００３７】
本発明のコンタクトレンズ用溶剤は、有効量の有機窒素系消毒剤及びリン酸化オリゴ糖化合物を含む消毒用組成物を基本構成要素とし、さらにコンタクトレンズに付着した脂質やタンパク質等の汚れに対する洗浄性を向上させるために、陰イオン性界面活性剤、陽イオン性界面活性剤、非イオン性界面活性剤及び両性界面活性剤からなる群から選択される少なくとも１種の界面活性剤を含むことが好ましい。本発明においては、洗浄時のコンタクトレンズの変形等の光学特性への影響を考慮して、非イオン性界面活性剤が好ましく用いられる。
【００３８】
非イオン性界面活性剤としては、例えば、ポリ（オキシエチレン）−ポリ（オキシプロピレン）ブロックコポリマー、ポリオキシエチレンアルキルエーテル、ポリオキシエチレンアルキルフェニルエーテル、ポリオキシエチレンアルキルエステル、ポリオキシエチレンソルビタンアルキルエステル、ポリオキシエチレン硬化ヒマシ油等が挙げられるが、こららのうちポリ（オキシエチレン）−ポリ（オキシプロピレン）ブロックコポリマーが好ましい。
【００３９】
界面活性剤の配合量（濃度）は、コンタクトレンズ用溶剤として通常用いられる濃度であれば特に限定されないが、例えば、０．０１〜５．０Ｗ／Ｖ％であり、０．０５〜１．０Ｗ／Ｖ％であることが好ましい。
【００４０】
本発明のコンタクトレンズ用溶剤のｐＨは、眼に対する刺激やコンタクトレンズ材料の安定性を考慮して、例えば、６．４〜８．４の範囲、好ましくは６．９〜７．９の範囲となるように緩衝剤を添加する等して設定される。
【００４１】
緩衝剤としては、通常コンタクトレンズ用溶剤に用いられる緩衝性かつ水溶性の物質であれば特に限定されないが、例えば、リン酸緩衝剤、ホウ酸緩衝剤、クエン酸緩衝剤、トリスヒドロキシアミノメタン緩衝剤等が挙げられる。本発明においては、微生物への増殖抑制効果を考慮すれば、ホウ酸緩衝剤が好ましい。
【００４２】
緩衝剤の配合量（濃度）は特に限定されないが、少なすぎると目的の緩衝効果が得られず、さらに多すぎると眼に対する刺激や低温下での析出が懸念されることから、例えば、０．０１〜５．０Ｗ／Ｖ％であり、好ましくは０．０５〜２．０Ｗ／Ｖ％である。
【００４３】
本発明のコンタクトレンズ用溶剤には、上記成分の他にも本発明の目的を損なわない限り、キレート剤、等張化剤、増粘剤に加えて、タンパク質分解酵素、脂質分解酵素をはじめとする酵素剤等、各種の添加剤を追加的に配合することができる。
【００４４】
具体的には、キレート剤として、エチレンジアミン四酢酸、エチレンジアミン四酢酸・２ナトリウム、エチレンジアミン四酢酸・３ナトリウム、クエン酸等；等張化剤として、グリセリン、プロピレングリコール、ソルビトール、マンニトール等；増粘剤として、ポリビニルアルコール、ヒドロキシプロピルメチルセルロース等が挙げられるが、各薬剤はこれらに限定されない。
【００４５】
本発明のコンタクトレンズ用溶剤は、当業者により知られるコンタクトレンズ用溶剤の製造方法に従って、特に制限なく製造できる。例えば、精製水に有機窒素系消毒剤及びリン酸化オリゴ糖化合物を同時に、又はそれらを各々前後して添加することにより製造できる。その他の成分も同様に、これらと同時に、又はこれらと前後して添加することができる。
【００４６】
以下、本発明を実施例によりさらに詳細に説明するが、本発明はこれら実施例に限定されるものではない。
【実施例】
【００４７】
表１に示す処方に従って、本発明の実施例１〜６及び比較例１〜３の液体組成物を調製した。すなわち、表１に記載した濃度（Ｗ／Ｖ％）となるように各配合成分を精製水１００ｍＬに量り込み、室温にて各成分が均一になるよう十分に撹拌した。得られた均一溶液を孔径０．２μｍのセルロースアセテートにて濾過滅菌し、各液体組成物を調製した。調製した実施例１〜６及び比較例１〜３の液体組成物について、以下に示す方法に従い、消毒効果、安全性及び形状安定性を評価した。結果を表２に示す。
【００４８】
［１．消毒効果］
試験菌株として、黄色ブドウ球菌（Ｓｔａｐｈｙｌｏｃｏｃｃｕｓ  ａｕｒｅｕｓ  ＡＴＣＣ６５３８）、緑膿菌（Ｐｓｅｕｄｏｍｏｎａｓ  ａｅｒｕｇｉｎｏｓａ  ＡＴＣＣ９０２７）及び霊菌（Ｓｅｒｒａｔｉａ  ｍａｒｃｅｓｃｅｎｓ  ＡＴＣＣ１３８８０）の細菌３種類、並びに真菌としてカンジダ（Ｃａｎｄｉｄａ  ａｌｂｉｃａｎｓ  ＡＴＣＣ１０２３１）を用いた。
【００４９】
細菌類及び真菌類共に、寒天培地の斜面培地上で３５℃、１８時間培養した菌原体に、ダルベッコリン酸緩衝液を加え、懸濁後回収した液を菌原液とした。さらに、菌原液をダルベッコリン酸緩衝液で希釈し、濃度を１０７〜１０８ｃｆｕ／ｍＬに調製し、これを菌試験液とした。用いた寒天培地は、細菌類がソイビーンカゼイン寒天培地、真菌類がブドウ糖ペプトン寒天培地である。
【００５０】
液体組成物１０ｍＬに菌試験液０．１ｍＬを接種した試料を２５℃のインキュベーター中に所定の消毒時間（４時間）静置した。静置後、試料１ｍＬを不活性剤含有培地（Ｎｅｕｔｒａｌｉｚｉｎｇ  Ｂｒｏｔｈ）９ｍＬに添加（１０倍希釈）した後、さらにダルベッコリン酸緩衝液にて１０倍希釈系列を連続的に調製して試験液とし、適当な希釈倍率の３濃度点の該試験液１ｍＬをディスポディッシュに分注し、寒天培地を注ぎ混釈し生菌数を求めた。
【００５１】
菌試験液の菌数である初発菌数は、ダルベッコリン酸緩衝液での１０倍希釈系列を連続的に調製し、前述と同様に操作した。本寒天混釈平板法における培養条件は、細菌、真菌共に３５℃×４８時間とした。
【００５２】
得られた初発菌数と菌試験液を接種した各試料の生菌数（対数値）から、生菌数の減少量を各試料における消毒時間経過後の対数差として次式により求めた：
生菌数の減少量＝初発菌数−試料における生菌数
【００５３】
判定は、ＩＳＯスタンドアローン試験の一次基準に従い、４時間の消毒時間における生菌数の減少量が、細菌類では３．０以上、真菌類では１．０以上を合格とした。また、各試料間の消毒能を比較する際には、同一菌種における生菌数の減少量の差が０．５以上あった場合、消毒効果に有意差があるものとした。結果を表２に示す。
【００５４】
［２．安全性］
３７℃のＣＯ２インキュベーターで前培養したチャイニーズハムスター肺由来細胞Ｖ７９細胞をトリプシン処理後、牛胎児血清含有イーグル最少必須培地に懸濁した。カルチャープレートのウェルに試料（液体組成物）濃度が２０％、１０％、５％、２．５％となるように調製した各培地を分注後、細胞数が１００個となるように細胞懸濁液を加え、３７℃のインキュベーター中で７日間培養した。比較対照として、細胞を培地で同条件にて培養したものを用意した。
【００５５】
各試料の各濃度点における相対コロニー形成率を次式より求めた：
相対コロニー形成率（％）＝（各濃度点におけるコロニー数／比較対照のコロニー数）×１００
【００５６】
相対コロニー形成率（％）をそのまま目組織への安全性とした。なお、ここでは、相対コロニー形成率が概ね８０％以上の場合に、安全性があると判断した。同一濃度における相対コロニー形成率の比較により、各試料の安全性を評価した。結果を表２に示す。
【００５７】
［３．安定性］
試験レンズとして、シード ２ｗｅｅｋＦｉｎｅ ＵＶ及びシード ２ｗｅｅｋＰｕｒｅ(共にシード社製）を用いた。ブリスターパッケージよりコンタクトレンズを取出し、表面の水分を除去した後、レンズケースに分注した実施例１〜６及び比較例１〜３の液体組成物に前記コンタクトレンズを室温下で４時間浸漬及び静置した。
【００５８】
その後、各液体組成物において、測定顕微鏡を用いてコンタクトレンズの直径を測定した。
コンタクトレンズ材料に対する安定性の判定はコンタクトレンズ承認基準に従い、液体組成物への浸漬前後の直径の変化量が、製品に表示された数値に対し±０．２ｍｍ以内であった場合、合格とした。結果を表２に示す。
【００５９】
【表１】
2015049303.tif 000002
【００６０】
リン酸化オリゴ糖カルシウム：ＰＯｓ−Ｃａ（グリコ栄養食品製）
リン酸化オリゴ糖ナトリウム：ＰＯｓ−Ｎａ（グリコ栄養食品製）
リン酸化オリゴ糖マグネシウム：ＰＯｓ−Ｍｇ（グリコ栄養食品製）
リン酸化オリゴ糖カリウム：ＰＯｓ−Ｋ（グリコ栄養食品製）
【００６１】
【表２】
2015049303.tif 000003
【００６２】
以上、本発明によれば、高い消毒効果及び高い安全性を有する消毒用組成物及びコンタクトレンズ用溶剤が得られる。